(57)【要約】【課題】  再生装置で取得した再生情報に基づいて外部のデータベースからタイトル情報を取得してタイトル表示情報生成する、当該再生装置と一体的に構成される必要のないタイトル表示情報生成装置を提供することを目的とする。【解決手段】  コンテンツを構成するコンテンツデータからコンテンツを再生するために必要な再生情報（ＰＩ）と、コンテンツの内容を表すタイトル情報（ＴＩ）とが対応して構成されるタイトル表示情報（Ｔｄ）を生成するタイトル表示情報生成装置（ＡＴＤ）において、第１の再生情報取得器（Ｓ１０）はコンテンツデータから再生情報（ＰＩ）を取得し、タイトル情報取得器（Ｓ２２、Ｓ１１８）は、コンテンツデータ（１１）からタイトル情報（ＴＩ）を取得し、タイトル情報検出器（Ｓ１４、Ｓ２０）はコンテンツデータ（１１）にタイトル情報（ＴＩ）が含まれているか否かを判断する。【選択図】  図１
2005285274.tif 000002
【特許請求の範囲】
【請求項１】
コンテンツを構成するコンテンツデータからコンテンツを再生するために必要な再生情報と、コンテンツの内容を表すタイトル情報とが対応して構成されるタイトル表示情報を生成するタイトル表示情報生成装置であって、
コンテンツを構成するコンテンツデータから前記再生情報を取得する第１の再生情報取得手段と、
前記コンテンツデータから前記タイトル情報を取得するタイトル情報取得手段と、
前記コンテンツデータに前記タイトル情報が含まれているか否かを判断するタイトル情報検出手段とを備えるタイトル表示情報生成装置。
【請求項２】
前記タイトル情報が含まれていると判断される場合には、前記取得された再生情報と前記取得されたタイトル情報とを対応させるタイトル表示情報合成手段をさらに備える請求項１に記載のタイトル表示情報生成装置。
【請求項３】
前記対応させられたタイトル情報とタイトル情報をタイトル表示情報として記録媒体に記録させるタイトル表示情報記録手段をさらに備える請求項２に記載のタイトル表示情報生成装置。
【請求項４】
前記タイトル情報ＴＩが含まれていないと判断される場合には、前記取得された再生情報をタイトル表示情報の一部として記録媒体に記録させるタイトル情報記録手段をさらに備える請求項１に記載のタイトル表示情報生成装置。
【請求項５】
前記記録媒体から前記再生情報を読み出す再生情報読出手段と、
タイトル表示情報が格納された外部のデータベースから、前記読み出された再生情報に対応するタイトル情報を取得する第２のタイトル情報取得手段とを、さらに備える請求項４に記載のタイトル表示情報生成装置。
【請求項６】
第２のタイトル情報取得手段は、前記データベースとネットワークで接続されることを特徴とする請求項５に記載のタイトル表示情報生成装置。
【請求項７】
前記取得されたタイトル情報と前記再生情報に対応させて、タイトル表示情報の残り部分として、前記記録媒体に記録させるタイトル情報取得書込手段をさらに備える請求項５に記載のタイトル表示情報生成装置。
【請求項８】
前記コンテンツデータは光学式記録媒体に記録されおり、前記再生情報はＴＯＣ情報であることを特徴とする請求項１に記載のタイトル表示情報生成装置。
【請求項９】
前記記録媒体は、ブリッジメディアであることを特徴とする請求項８に記載のタイトル表示情報生成装置。
【発明の詳細な説明】
【技術分野】
【０００１】
光学式記録媒体に記録されているコンテンツのタイトル情報を外部データベースから取得するタイトル表示情報生成装置であって、さらに詳述すれば、取得されたコンテンツタイトル情報を表示できるコンテンツ再生装置に関する。
【背景技術】
【０００２】
近年、コンパクトディスクプレーヤやレーザーディスクプレーヤ等に代表される光学式記録媒体の再生装置は、その小型軽量化、低価格化、および省電力における進歩は目覚ましい。その結実としてコンテンツの長時間の連続再生が可能な携帯型の再生装置が種々商品化されている。
【０００３】
従来、広く普及している光学式記録媒体には、コンテンツ自体のデータと、再生装置がコンテンツ再生に必要とする情報（以降、「再生情報」と称する）は記録されている。しかしながら、一部の光学式記録媒体を除いて、ユーザがコンテンツの内容を認識するために必要な媒体名やコンテンツ名等を表す情報（以降、「タイトル情報」と称する）は記録されていない。これについて、光学式記録媒体の一例として、従来の音楽用コンパクトディスク（以下、「ＣＤ」と略称）の場合について具体的に説明する。ＣＤに記録されている、再生装置が音楽（コンテンツ）の再生に必要とする再生情報には、サブコード信号とＴＯＣ（ＴＡＢＬＥ  ＯＦ  ＣＯＮＴＥＮＴＳ）情報とが含まれる。
【０００４】
図５に、サブコード信号のチャンネルフォーマットを模式的に示す。ＣＤのサブコード信号は、７．３５ＫＨｚのＣＤ記録信号のフレームが９８個で一つのブロックをつくっている。１フレームあたり８ビットのサブコード信号には、１ビット毎にＰ，Ｑ，Ｒ，Ｓ，Ｔ，Ｕ，Ｖ，Ｗチャンネルという名称がつけられている。
【０００５】
ＰチャンネルからＷチャンネルまでのサブコード信号のうち、ＰチャンネルおよびＱチャンネルは曲の頭出しや予め設定された順序にしたがって再生するプログラム機能をもたせるために用いられている。Ｑチャンネルには、現在再生している音楽信号が第何曲目であるか等の位置情報が示されている。このＱチャンネル信号により、例えば、曲のナンバー（ＴＮＯ）＝“１２”ならば現在そのＣＤの１２曲目を再生していることが分かる。一
方、ＳチャンネルからＷチャンネルまでの６ビットのチャンネルには具体的にどのような目的に使用するかは定められていない。
【０００６】
図６にＴＯＣ情報のフォーマットを模式的に示す。ＴＯＣ信号には、そのＣＤに収録されている最終曲のナンバーや全曲の演奏終了時間位置、各演奏曲の開始時間位置等の情報がＣＤの最内周に記録されている。上述のＱチャンネルの信号には、現在再生している音楽信号が第何曲目であるか等の位置情報が示されている。同図に示すように、Ｑチャンネルの信号で曲のナンバー（ＴＮＯ）＝“００”となっているのがＴＯＣ信号で、インデッ
クス（Ｘ）の値により示す情報の種類が異なる。
【０００７】
Ｘ＝“Ａ１”は最終曲のナンバー（ＬＡＳＴ  ＴＮＯ）を示し、Ｘ＝“Ａ２”はそのＣ
Ｄの全曲の演奏終了時間（ＴＯＴＡＬ  ＴＩＭＥ）等の情報を示している。そして、Ｘ＝“０１”は、１曲目の開始位置を示し、Ｘ＝０２は２曲目の開始位置を示し、以下同様に、Ｘ＝Ｎ（ＮはＣＤに記録が許される最大のトラック数以下の自然数）はＮ曲目の位置を示している。
【０００８】
このように、ＣＤには、記録されている曲（トラック）ごとの名前や、記録されている曲から構成されるアルバムの名前等の、ユーザがそのコンテンツの内容を知るために必要なタイトル情報が含まれていない。つまり、再生装置は記録媒体の中での第何曲目を再生中であるかを示すＴＲＡＣＫ番号をユーザに提示できるだけである。そのために、ユーザが再生中のＣＤのアルバム名や曲名等のタイトル名を知るためには、再生の度にジャケットと呼ばれるＣＤのケースを見て、アルバム名や第何曲目がどういう題名の曲であるか等のタイトル情報を調べなくてはならない。
【０００９】
再生の度に、ユーザがタイトル情報を調べる代わりに、ユーザが調べたタイトル情報を、再生装置が検出した再生情報（ＣＤのサブコード情報とＴＯＣ情報）に関連させてメモリに記憶させるタイトル情報を生成する技術が提案されている（特許文献１）。そうすることによって、ＣＤから音楽を再生する際に、再生装置によるアルバム名や曲名の表示が可能である。
【００１０】
さらに、ユーザが調べて記憶させるのではなく、インターネット等に代表されるネットワークを介して、外部に設けられたタイトル情報が格納されたデータベース（「タイトル情報データベース」と略称）から、再生中或いは所有する音楽データのタイトル情報或いはタイトル表示情報をダウンロードしてタイトル表示情報を取得する技術が提案されている（特許文献２、特許文献３、特許文献４、特許文献５、特許文献６、特許文献７、特許文献８）。同技術におけるタイトル表示情報取得装置および再生装置は、通信機能を有するパーソナルコンピュータで一体的に実現される。つまり、再生情報とタイトル情報が同一の機器で取得される。
【特許文献１】特許第３１６２０６４号公報
【特許文献２】米国特許第５，９８７，５２５号明細書
【特許文献３】米国特許第６，０６１，６８０号明細書
【特許文献４】米国特許第６，１５４，７７３号明細書
【特許文献５】米国特許第６，１６１，１３２号明細書
【特許文献６】米国特許第６，２３０，２０７号明細書
【特許文献７】米国特許第６，２４０，４５９号明細書
【特許文献８】米国特許第６，３０４，５２３号明細書
【発明の開示】
【発明が解決しようとする課題】
【００１１】
しかしながら、上述のユーザがタイトル情報を入力する技術では、ジャケットからタイトル情報を読みとり、さらにパソコン等の入力機器を操作する煩雑な操作をユーザに強いることになる。さらに、タイトル情報の入力機器を再生装置とは別に新たに必要とするため、小型軽量、低価格および長時間稼働という携帯型の再生装置にとっての必須条件が損なわれる。
【００１２】
一方、外部のタイトル情報データベースからタイトル情報或いはタイトル表示情報Ｔｄをダウンロードする技術においては、ユーザによるタイトル情報の入力作業および入力機器は不要である。その代わり、インターネット等に接続するための通信機器を必要とする。つまり、再生情報とタイトル情報とを同一の再生装置で取得するタイトル表示情報取得装置は通信機器を必要とする。そのために、やはり、携帯型の再生装置の小型軽量、低価格および長時間稼働という必須条件が損なわれる。
【００１３】
これらの２種類の技術における問題は、携帯型の再生装置において特に顕著に現れる。しかしながら、固定型の再生装置においても、同様に装置の大型化、重量化、高価格化、および消費電力の増大という好ましくない事態を招く。さらに、外部データベースからタイトル情報をダウンロードする技術の場合は、タイトル表示情報取得装置は通信機能を有するパーソナルコンピュータで再生装置と一体的に構成されねばならない。そのために、携帯型は言うまでもなく固定型の再生装置においても、コンテンツ再生およびコンテンツのタイトル名の表示の観点からは本来不要な、通信機能やデータベースからの情報取得機能を実現する構成要素を必要とするために、さらなる装置の大型化、重量化、高価格化、および消費電力の増大を招き好ましくない。
【００１４】
なお、上述の諸問題の基本的な原因は、コンテンツデータの提供形態、つまり放送や配信或いは記録媒体あるのではなく、提供されるコンテンツデータに、タイトル情報が含まれていないことにある。つまり、光学式記録媒体の１つである音楽用ＣＤを例に挙げて本発明が解決すべき課題について説明したが、タイトル情報が含まれないコンテンツデータであれば供給形態や記録媒体の種類に関わらず同じ問題を有する。つまり、ネットワーク配信、通信、および放送で供給されるコンテンツおよび光学式記録媒体以外の半導体或いはテープ状の記録媒体に記録されて供給されるコンテンツデータの場合でも、タイトル情報が含まれていなければ、タイトル情報を外部のデータベースを利用或いはユーザ自身が入力しなければならない。
【００１５】
よって、本発明は、再生装置で取得した再生情報に基づいて外部のデータベースからタイトル情報を取得してタイトル表示情報生成する、当該再生装置と一体的に構成される必要のないタイトル表示情報生成装置を提供することを目的とする。
【課題を解決するための手段】
【００１６】
上記課題を解決するために本発明にかかるタイトル表示情報生成装置は、
コンテンツを構成するコンテンツデータから前記再生情報を取得する第１の再生情報取得手段と、
前記コンテンツデータから前記タイトル情報を取得するタイトル情報取得手段と、
前記コンテンツデータに前記タイトル情報が含まれているか否かを判断するタイトル情報検出手段とを備える。
【発明の効果】
【００１７】
本発明においては、外部データベースからデータをダウンロードできる環境にない再生装置においても、コンテンツのタイトル情報を取得できる。
【発明を実施するための最良の形態】
【００１８】
先ず、本発明の基本的概念について説明する。本発明においては、上述の特許文献１に提案されている技術と同様に、タイトル情報を含まないコンテンツデータから再生に必要な再生情報を取得する。そして、再生情報に対応するタイトル情報は上述の特許文献２乃至特許文献８に提案されている技術と同様に外部のタイトル情報データベースから取得する。しかしながら、本発明にかかるタイトル表示情報生成装置はパーソナルコンピュータで構成されることなく、再生情報を取得する再生装置はタイトル情報データベースに接続するための通信機器を備える必要はない。さらに、タイトル表示情報生成装置と再生装置は一体的に構成される必要はない。
【００１９】
つまり、本発明においては、特許文献１の再生装置で取得した再生情報はブリッジメディアに記録される。そして、当該ブリッジメディアを特許文献２乃至特許文献８に提案されている外部のタイトルデータベースに接続する通信機能を有するパーソナルコンピュータに装着して、記録されている再生情報に対応するタイトル情報をタイトル情報データベースからダウンロードする。
【００２０】
取得されたタイトル情報データは、再生情報と関連付けられてブリッジメディアに記録さることでタイトル表示情報となる。そして、タイトル表示情報が記録されたブリッジメディアを再生装置に戻すことによって、再生装置においてコンテンツデータに対するタイトルの表示を可能としている。つまり、タイトル表示情報を生成するために必要な再生情報とタイトル情報を、ブリッジメディアを利用して、再生装置とデータベースブラウズ装置との別個の手段で取得して、ブリッジメディアにおいて合成してタイトル表示情報を完成させる。このようにして、再生装置は通信機器を必要とせず、パーソナルコンピュータで構成される必要もなく、タイトル表示情報生成装置は再生装置と一体的に構成される必要もない。
【００２１】
以下に、本発明にかかるタイトル表示情報生成装置および再生装置について説明する。なお、上述したように、本発明は携帯型の再生装置に適応した場合にその効果が顕著であるが、固定型の再生装置にした場合にも同様の効果が認められる。再生情報は含まれるがタイトル情報は含まれないコンテンツデータは、上述のように放送、通信、およびネットワーク等配信されても良く、また、種々の記録媒体に記録されて供給されてもよい。
【００２２】
なお、本明細書においては、説明の簡便化のために、コンテンツデータは光学式記録媒体である音楽用コンパクトディスク（以降、「ディスク」と略称する）に記録されて供給され、ディスクからコンテンツ（音楽）を再生する再生装置は、複数のディスクを交換して再生できるオートチャンジャ付きの固定型のもので実施される場合を例に説明する。
【００２３】
本実施形態にかかるタイトル表示情報生成装置ＡＴＤは、ＣＤから再生情報を取得する再生情報取得装置１００と、外部のタイトル情報データベースサ−バＤＢにネットワークＮＷを介して、当該ＣＤのタイトル情報を取得するタイトル情報取得装置３００とに大別される。好ましくは、再生情報取得装置１００はＣＤの再生装置として実現され、タイトル情報取得装置３００はパーソナルコンピュータによって実現される。この意味において、再生情報取得装置１００およびタイトル情報取得装置３００を、必要に応じて、それぞれ、再生装置およびパーソナルコンピュータと呼ぶものとする。
【００２４】
なお、ブリッジメディア２００が再生装置１００とタイトル情報取得装置３００との間で交換されて、タイトル表示情報が生成される。つまり、ブリッジメディア２００は、再生装置１００によって再生情報が書き込まれ、タイトル情報取得装置３００によって再生情報に対応するタイトル情報が書き込まれる。そして、ブリッジメディア２００上で再生情報とタイトル情報とが合成されてタイトル表示情報が生成される。この動作については、後ほど図３および図４を参照して詳述する。
【００２５】
再生装置１００は、記録媒体格納器１４、ディスク選択器１５、ディスク再生器１６、ディスク認識信号抽出器１７、表示器１９、記憶制御器２０、ディスク認識器２１、読出制御器２２、読出情報処理器２３、収納曲情報抽出器２４、操作器２５、再生位置検出器２６、および記憶内容移植器２７を含む。
【００２６】
操作器２５は、好ましくはスイッチ群を有するキーボードやリモコンとして構成されて、ユーザの操作に応じて、ユーザの選択や指示を表す操作信号Ｓｏを生成する。
【００２７】
記録媒体格納器１４は、ディスク収納器１２とブリッジメディア書読器１３とを有している。ディスク収納器１２は、複数枚のディスク１１を収納しておくチェンジャマガジンと呼ばれるもので、通常、再生装置１００の本体からは着脱自在に構成される。そして、ユーザは、再生装置１００の本体から取り外した状態のディスク収納器１２に、ディスク１１を装着および収納する。本例においては、６枚のディスク１１が格納されており、それぞれをディスク１１Ａ、ディスク１１Ｂ、ディスク１１Ｃ、ディスク１１Ｄ、ディスク１１Ｅおよびディスク１１Ｆと識別するものとする。
【００２８】
ブリッジメディア書読器１３は、スタティックＲＡＭやダイナミックＲＡＭ等の固体メモリ素子を用い乾電池電源等でその内容が消去されないようにバックアップされているＲＡＭカード或いはＩＣカード等に代表されるブリッジメディア２００（図面中では、紙面スペースの関係上、「ＢＭ」と表記）に対するデータの書き込みおよび読み出しを行う機能を有している。
【００２９】
ディスク選択器１５は、操作器２５から入力される操作信号Ｓｏに基づいて、ディスク収納器１２中の複数のディスク１１Ａ〜１１Fのうち任意の１つを取り出てディスク再生器１６に載置させ、さらにディスク再生器１６からディスク収納器１２の元の位置に戻させる機能を有する。なお、図１には、ディスク１１Ｂが取り出されてディスク再生器１６に載置されている例が示されている。
【００３０】
ディスク再生器１６は、操作器２５から入力される操作信号Ｓｏに基づいて、載置されているディスク１１に記録されている信号を再生して再生信号Ｓｒを生成する。再生信号Ｓｒはディスク認識信号抽出器１７、収納曲情報抽出器２４、および再生位置検出器２６に供給される。なお、必要に応じて、再生信号Ｓｒも対応するディスク１１に応じて、それぞれ、再生信号ＳｒＡ、再生信号ＳｒＢ、再生信号ＳｒＣ、再生信号ＳｒＤ、再生信号ＳｒＥ、および再生信号ＳｒＦと識別する。つまり、本例においては、ディスク１１Ｂから再生信号ＳｒＢが再生される。以降、同様に各信号の符号にＡ〜Ｆの何れかを附して、その信号の起源であるディスク１１の別を表すものとする。
【００３１】
ディスク認識信号抽出器１７は、ディスク再生器１６から出力された再生信号Ｓｒに含まれるＴＯＣ情報からディスク１１を認識するためのディスク認識信号Ｓｄを生成して、記憶制御器２０に出力する。上述のように、必要に応じて、ディスク認識信号Ｓｄも対応するディスク１１に応じて、それぞれ、ディスク認識信号ＳｄＡ、ディスク認識信号ＳｄＢ、ディスク認識信号ＳｄＣ、ディスク認識信号ＳｄＤ、ディスク認識信号ＳｄＥ、およびディスク認識信号ＳｄＦと識別する。つまり、本例においては、再生信号ＳｒＢに基づいて、ディスク１１Ｂを識別するディスク認識信号ＳｄＢが取り出される。
【００３２】
収納曲情報抽出器２４は、再生信号Ｓｒに基づいて、サブコードから記録内容が何であるかを表わす内容情報Ｉｃを取り出して、内容情報信号Ｓｃを生成して記憶制御器２０に出力する。
【００３３】
再生位置検出器２６は、再生信号Ｓｒに基づいて、ディスク１１の現在の再生位置を検出して検出位置信号Ｓｐを生成して、記憶制御器２０に出力する。
【００３４】
記憶制御器２０は、再生位置検出器２６から入力される検出位置信号Ｓｐと、ディスク認識信号抽出器１７から入力されるディスク認識信号Ｓｄと、収納曲情報抽出器２４から入力される内容情報信号Ｓｃとに基づいて、再生情報ＰＩを生成してブリッジメディア書読器１３に出力する。
【００３５】
ブリッジメディア書読器１３は、記憶制御器２０、読出制御器２２、読出情報処理器２３、および記憶内容移植器２７に接続されている。そして、ブリッジメディア書読器１３は、記憶制御器２０から入力される再生情報ＰＩ或いは記憶内容移植器２７から入力されるタイトル表示情報Ｔｄをブリッジメディア２００に書き込む。さらに、ブリッジメディア書読器１３は、読出制御器２２から出力される読出制御信号に基づいて、ブリッジメディア２００に記録されているタイトル表示情報Ｔｄを読み出して読出情報処理器２３に出力する。なお、必要に応じて、記憶内容移植器２７から出力されてブリッジメディア２００に書き込まれるタイトル表示情報Ｔｄをタイトル表示情報Ｔｄ（Ｉ）と表示し、ブリッジメディア書読器１３から読出情報処理器２３に出力されるタイトル表示情報Ｔｄをタイトル表示情報Ｔｄ（Ｏ）と表示して識別する。
【００３６】
読出情報処理器２３は、ブリッジメディア書読器１３から出力されるタイトル表示情報Ｔｄ（Ｏ）を蓄積すると共に、タイトル表示情報Ｔｄ（Ｏ）の内容を表示するための映像信号を生成して表示器１９に出力する。
【００３７】
表示器１９は、読出情報処理器２３から入力される映像信号に基づいて、タイトル表示情報Ｔｄ（Ｏ）に含まれるＣＤのアルバム名や曲名を画像表示して、ユーザに提示する。表示器１９は、ブラウン管式テレビ、液晶表示式テレビ、および蛍光管表示素子を用いた蛍光管表示式テレビ等に代表される任意の表示装置を用いることができる。なお、本実施形態においては、液晶表示素子を用いた表示装置が用いられる。
【００３８】
ディスク認識器２１は、ディスク認識信号抽出器１７から出力されたディスク認識信号Ｓｄと、読出情報処理器２３から出力されるタイトル表示情報Ｔｄ（Ｉ）に基づいて、再生中のディスク１１のタイトル表示情報Ｔｄがブリッジメディア２００に記録されているかを判断する機能を有する。
【００３９】
読出制御器２２は、ディスク認識器２１から出力される制御信号と、操作器２５から出力される操作信号Ｓｏに基づいて、ブリッジメディア書読器１３のブリッジメディア２００からタイトル表示情報Ｔｄの読み出し動作を制御する機能を有する。
【００４０】
記憶内容移植器２７は、操作器２５から出力される操作信号Ｓｏに基づいて、読出情報処理器２３に蓄積されているタイトル表示情報Ｔｄ（Ｏ）を読み出して、タイトル表示情報Ｔｄ（Ｉ）としてブリッジメディア書読器１３に出力する。ブリッジメディア書読器１３は格納されているブリッジメディア２００に、タイトル表示情報Ｔｄ（Ｉ）を書き込む。このようにして、タイトル表示情報Ｔｄを読み出したブリッジメディア２００とは別のブリッジメディア２００に、同じ内容のタイトル表示情報Ｔｄを移植できる。
【００４１】
なお、ディスク認識信号抽出器１７、記憶制御器２０、ディスク認識手段２１、読出制御器２２、読出情報処理機２３、収納曲情報抽出器２４、再生位置検出器２６、および記憶内容移植器２７は、好ましくはマイクロコンピュータ２８によって実現される。
【００４２】
タイトル情報取得装置３００は、アプリケーションソフトウェア３０１、ブリッジメディア書読器３０３、ＬＡＮ３０５、およびＣＰＵ３０７を含み、上述のように好ましくはパーソナルコンピュータで実現される。ブリッジメディア書読器３０３は、前述のブリッジメディア書読器１３と同様の機能を有しており、格納されるブリッジメディア２００に対してデータの読み出しおよび書き込みを行う。ＣＰＵ３０７はアプリケーションソフトウェア３０１に基づいて、タイトル情報取得装置３００のタイトル情報取得動作を制御する。
【００４３】
つまり、ブリッジメディア書読器３０３に格納されるブリッジメディア２００から再生情報ＰＩが読みだされ、ＬＡＮ３０５およびネットワークＮＷを介して、外部のタイトル情報データベースサーバＤＢに出力される。タイトル情報データベースサーバＤＢでは、データベースから再生情報ＰＩに対応するタイトル情報ＴＩを読み出し、ネットワークＮＷを介してタイトル情報取得装置３００に出力する。タイトル情報ＴＩは、ＬＡＮ３０５を経由してブリッジメディア書読器３０３に送られる。ブリッジメディア書読器３０３は、再生情報ＰＩを読み出したブリッジメディア２００に対して、再生情報ＰＩと関連させてタイトル情報ＴＩを記録する。この時点でタイトル表示情報Ｔｄが完成する。
【００４４】
例えば、ブリッジメディア２００にディスク１１Ｂの再生情報ＰＩ（Ｂ）が記録されている場合には、タイトル情報ＴＩ（Ｂ）がタイトル情報データベースサーバＤＢからダウンロードして、ブリッジメディア２００に書き込まれてタイトル表示情報Ｔｄ（Ｂ）が完成する。
【００４５】
次に、図２を参照して、ブリッジメディア２００に記録／完成されるタイトル表示情報Ｔｄの構造について説明する。同図に示すタイトル表示情報Ｔｄは、ディスク１１の１枚毎に生成される。上述のように、本実施形態においては再生装置１００には６枚のディスク１１（１１Ａ〜１１Ｆ）がセットされているので、それぞれに対してタイトル表示情報Ｔｄ（Ａ）、タイトル表示情報Ｔｄ（Ｂ）、タイトル表示情報Ｔｄ（Ｃ）、タイトル表示情報Ｔｄ（Ｄ）、タイトル表示情報Ｔｄ（Ｅ）、およびタイトル表示情報Ｔｄ（Ｆ）が生成されて、全体としてタイトル表示情報Ｔｄを構成する。
【００４６】
図１に示す例に従って、ディスク１１Ｂのタイトル表示情報Ｔｄ（Ｂ）について説明する。タイトル表示情報Ｔｄ（Ｂ）は、再生情報ＰＩ（Ｂ）とタイトル情報ＴＩ（Ｂ）と含む。再生情報ＰＩは、上述のように本実施形態においてはＣＤのＴＯＣ情報であり、タイトル情報ＴＩはディスク１１Ｂに記録されている音楽の曲名とＣＤ名である。ＴＯＣ情報としては、ＣＤから読み込んだＴＯＣ信号（再生信号Ｓｒ）からできるだけＣＤ毎に差異の出る情報となるようエッセンスを抽出して登録をする。本例においては、簡略化のため最終曲のナンバー（ＬＡＳＴ  ＴＮＯ）と、全曲の演奏終了時間（ＴＯＴＡＬ  ＴＩＭＥ）のみを登録している。
【００４７】
この再生情報ＰＩ（ＴＯＣ情報）の後に、タイトル情報ＴＩが連続してＣＤのタイトル名（ＣＤ名）、曲番が最初の曲の名前（１曲目の曲名）、２曲目の曲名、……、Ｎ−１曲目の曲目に、Ｎ曲名の曲名（Ｎはディスク１１に記録されている曲数）というように登録されている。
【００４８】
次に、図３および図４に示すフローチャートを参照して、タイトル表示情報生成装置ＡＴＤのタイトル表示情報生成について説明する。図３は、ＣＤの再生時に行われる、ブリッジメディア２００にタイトル表示情報Ｔｄを記録するための準備動作を表している。そして、図４は、準備されたブリッジメディア２００に記録されている未完成なタイトル表示情報Ｔｄを完成させる動作を表している。
【００４９】
先ずマイクロコンピュータ２８の動作に必要な電源投入や必要な初期設定動作は完了しているものとする。ブリッジメディア２００がブリッジメディア書読器１３に格納されていると共に、ディスク収納器１２にディスク１１が収納されている記録媒体格納器１４を再生装置１００の本体に装着することにより、ディスク収納器１２内のディスク１１が再生可能となる。
【００５０】
よって、図３に示すステップＳ２において、ブリッジメディア２００がブリッジメディア書読器１３に装着されているか否かが判断される。ブリッジメディア２００が装着された時点で制御は次のステップＳ４に進む。
【００５１】
ステップＳ４において、ブリッジメディア２００からタイトル表示情報Ｔｄが読み出されて、読出情報処理器２３に蓄積される。ブリッジメディア２００から読み出されたタイトル表示情報Ｔｄは、上述のようにタイトル表示情報Ｔｄ（Ｏ）として識別される。そして、制御は次のステップＳ６に進む。
【００５２】
ステップＳ６において、ユーザによるディスク１１の選択指示が受け付けられる。本例においては、ユーザはディスク１１Ｂの再生を指示するべく操作器２５を操作する。このユーザの操作に基づいて、操作器２５は操作信号Ｓｏを生成する。操作信号Ｓｏは、ディスク選択器１５、ディスク再生器１６、読出制御器２２、および記憶内容移植器２７に供給される。そして、制御は次のステップＳ８に進む。
【００５３】
ステップＳ８において、ディスク選択器１５は、操作信号Ｓｏに基づいて、ディスク１１Ｂをディスク収納器１２から取り出して、ディスク再生器１６に載置する。ディスク再生器１６はディスク１１Ｂを再生して、再生信号Ｓｒを生成する。再生信号Ｓｒは、ディスク認識信号抽出器１７、再生位置検出器２６、および収納曲情報抽出器２４に供給される。そして、制御は次のステップＳ１０に進む。
【００５４】
ステップＳ１０において、再生位置検出器２６は、再生信号ＳｒのサブコードのＱチャンネル信号に基づいて、曲のナンバー（ＴＮＯ）、つまり再生位置を検出して検出位置信号Ｓｐを生成する。検出位置信号Ｓｐは表示器１９および読出情報処理器２３に供給される。そして、ディスク認識信号抽出器１７は、再生信号ＳｒからサブコードのＱチャンネル信号で曲のナンバー（ＴＮＯ）＝“００”であるＴＯＣ信号を抽出して、ディスク認識
信号Ｓｄを生成する。ディスク認識信号Ｓｄは、記憶制御器２０およびディスク認識器２１に供給される。そして、制御は次のステップＳ１２に進む。
【００５５】
ステップＳ１２において、ステップＳ１０において読み込んだＴＯＣ信号（ディスク認識信号Ｓｄ）に対応したＴＯＣ情報がすでにブリッジメディア２００に記録されているか否かが判断される。具体的には、ディスク認識器２１が、読出情報処理器２３に蓄積されているタイトル表示情報Ｔｄ（Ｏ）の中に、ディスク認識信号抽出器１７から入力されＴＯＣ情報（ディスク認識信号Ｓｄ）と一致するものがあるか否かを判断する。そして、一致するものがなければ、ディスク１１ＢのＴＯＣ情報はブリッジメディア２００に登録されていないのでＮｏと判断されて、制御は次のステップＳ１４に進む。
【００５６】
ステップＳ１４において、ディスク１１ＢはＣＤ名や曲番毎の曲名が収録されているＣＤであるか否かが判断される。具体的には、収納曲情報抽出器２４によって、再生信号Ｓｒ中のサブコード信号のＳからＷまでのビットにＣＤのタイトル名や曲番毎の曲名を含むタイトル情報ＴＩが収録されているか否かが判断される。ディスク１１Ｂが例えばＣＤ名や曲名が記録されている記録媒体である場合にはＹｅｓと判断されて、制御はステップＳ１６に進む。
【００５７】
ステップＳ１６において、ディスク１１ＢからＣＤ名や曲名が読み出されて、ＴＯＣ情報と共にブリッジメディア２００に書き込まれる。具体的には、収納曲情報抽出器２４が再生信号Ｓｒからタイトル情報ＴＩを読み出して内容情報信号Ｓｃを生成し、記憶制御器２０に入力する。記憶制御器２０は、ディスク認識信号抽出器１７から入力されるＴＯＣ情報（ディスク認識信号Ｓｄ）と、収納曲情報抽出器２４から入力されるタイトル情報ＴＩ（内容情報信号Ｓｃ）を組み合わせてタイトル表示情報Ｔｄを構成して、ブリッジメディア書読器１３に出力する。ブリッジメディア書読器１３は、このタイトル表示情報Ｔｄをブリッジメディア２００に記録する。このようにして、タイトル情報ＴＩを含むＣＤの場合には、そのタイトル表示情報Ｔｄがブリッジメディア２００に記録される。そして、制御は上述のステップＳ２に戻る。
【００５８】
一方、上述のステップＳ１４においてＮｏ、つまりディスク１１Ｂが通常の音楽ＣＤのような記録媒体の場合には、制御はステップＳ１８に進む。
【００５９】
ステップＳ１８において、ブリッジメディア２００にディスク１１ＢのＴＯＣ情報が書き込まれる。具体的には、記憶制御器２０は、ディスク認識信号抽出器１７から入力されるＴＯＣ情報（ディスク認識信号Ｓｄ）をブリッジメディア書読器１３に出力する。ブリッジメディア書読器１３は、ＴＯＣ情報を再生情報ＰＩ（Ｂ）としてブリッジメディア２００に記録する。このようにして、ブリッジメディア２００において、タイトル情報ＴＩを含まないタイトル表示情報Ｔｄ（Ｂ）が生成される。そして、制御は上述のステップＳ２に進む。
【００６０】
さらに、上述のステップＳ１２においてＹｅｓ、つまりディスク１１ＢのＴＯＣ情報（再生情報ＰＩ（Ｂ））がブリッジメディア２００に既に記録されている場合には、制御はステップＳ２０に進む。
【００６１】
ステップＳ２０において、タイトル情報ＴＩ（Ｂ）もブリッジメディア２００に記録されているか否かが判断される。具体的には、ディスク認識器２１が、読出情報処理器２３に蓄積されているタイトル表示情報Ｔｄ（Ｂ）にタイトル情報ＴＩ（Ｂ）が実際に記録されているか否かを判断する。Ｎｏの場合は、ディスク１１Ｂのタイトル表示情報Ｔｄ（Ｂ）には、再生情報ＰＩ（ＴＯＣ情報）は記録されているがタイトル情報ＴＩは記録されていない。これは、上述のステップＳ１８を経た時点と同じ状態であることを意味している。よって、制御は上述のステップＳ２に進む。
【００６２】
ステップＳ２０でＹｅｓ、つまりディスク１１Ｂのタイトル表示情報Ｔｄ（Ｂ）は完成されている場合には、制御はステップＳ２２に進む。
【００６３】
ステップＳ２２において、ディスク１１Ｂに記録されているコンテンツの内容を示す対応するタイトル情報ＴＩが表示器１９で表示される。具体的には、読出情報処理器２３が蓄積されているタイトル表示情報Ｔｄ（Ｂ）のタイトル情報ＴＩ（Ｂ）の内容を表す映像信号を生成して表示器１９に出力する。同映像信号にもとづいて、表示器１９は、ＣＤ名や曲名のタイトル情報ＴＩを表示する。そして制御は上述のステップＳ２に戻る。
【００６４】
このようにして、記録媒体格納器１４に格納されているすべてのディスク１１に対して、ブリッジメディア２００にタイトル表示情報Ｔｄが記録（登録）されているかが確認される。そして、タイトル表示情報Ｔｄが記録されているディスク１１に関しては、そのＣＤ名や曲名が表示器１９によって表示できる。また、タイトル表示情報Ｔｄが記録されていないディスク１１に関しては、ブリッジメディア２００にタイトル情報ＴＩ（ＴＯＣ情報）のみが書き込まれた、未完成なタイトル表示情報Ｔｄが記録（登録）される。
【００６５】
次に、図４に示すフローチャートを参照して、タイトル情報取得装置３００による上述の未完成なタイトル表示情報Ｔｄを完成させるタイトル情報取得方法について説明する。上述のステップＳ２〜Ｓ２２における処理の結果、完全なタイトル表示情報Ｔｄと不完全なタイトル表示情報Ｔｄがブリッジメディア２００に取得される。このブリッジメディア２００を、ブリッジメディア書読器１３から取り出して、タイトル情報取得装置３００のブリッジメディア書読器３０３に装着した時点で、タイトル情報取得装置３００によるタイトル情報取得或いはタイトル表示情報完成処理が開始される。
【００６６】
よって、ステップＳ１０２において、ブリッジメディア２００がブリッジメディア書読器３０３に装着されているか否かが判断される。ブリッジメディア２００が装着された時点で制御は次のステップＳ１０４に進む。
【００６７】
ステップＳ１０４において、ブリッジメディア２００からタイトル表示情報Ｔｄが１つずつ検出される。そして、制御は次のステップＳ１０６に進む。
【００６８】
ステップＳ１０６において、検出されたタイトル表示情報Ｔｄが未完成、つまり再生情報ＰＩ（ＴＯＣ情報）は記録されているが、タイトル情報ＴＩは記録されていない状態か否かが判断される。Ｎｏと判断される場合は、上述のステップＳ１６を経て完成されたタイトル表示情報Ｔｄ或いはステップＳ２２で表示された完成しているタイトル表示情報Ｔｄが検出されたことを意味する。完成されたタイトル表示情報Ｔｄは、タイトル情報ＴＩを取得する必要がないので、制御は上述のステップＳ１０４に戻る。
一方、本ステップにおいてＮｏと判断される場合は、上述のステップＳ１８を経た、或いはステップＳ２０でＮｏと判断された未完成状態のタイトル表示情報Ｔｄが検出されたことを意味する。未完成なタイトル表示情報Ｔｄは、タイトル情報ＴＩを取得して完成させる必要があるので、制御は次のステップＳ１０８に進む。
【００６９】
ステップＳ１０８において、ステップＳ１０６において未完成と判断されたタイトル表示情報Ｔｄの再生情報ＰＩが読み出される。そして、制御は次のステップＳ１１０に進む。
【００７０】
ステップＳ１１０において、ブリッジメディア２００に、検出対象のタイトル表示情報Ｔｄが残っているか否かが判断される。残っている場合はＮｏと判断されて、制御は上述のステップＳ１０４、ステップＳ１０６、およびＳ１０８における処理を繰り返す。そして、本ステップにおいてＹｅｓと判断された時点で、制御は次のステップＳ１１２に進む。このようにして、ブリッジメディア２００に記録されている未完成なタイトル表示情報Ｔｄの再生情報ＰＩ（ＴＯＣ情報）がすべて、読み出される。
【００７１】
ステップＳ１１２において、タイトル情報取得装置３００は、ＬＡＮ３０５を利用し、ネットワークＮＷを介してタイトル情報データベースサ−バＤＢに接続される。そして、制御は次のステップＳ１１４に進む。
【００７２】
ステップＳ１１４において、タイトル情報取得装置３００は、ステップＳ１０８で読み出された再生情報ＰＩを順番にキーとして、タイトル情報データベースサ−バＤＢに記録されているタイトル表示情報Ｔｄを検索する。そして、制御は次のステップＳ１１６に進む。
【００７３】
ステップＳ１１６において、ブリッジメディア２００から読み出された再生情報ＰＩと同一の再生情報ＰＩを有するタイトル表示情報Ｔｄがタイトル情報データベースサ−バＤＢ中にあるか否かが判断される。Ｎｏ、つまりタイトル情報データベースサ−バＤＢには、未完成タイトル表示情報Ｔｄに対応するタイトル表示情報Ｔｄが格納されていない場合は、制御はステップＳ１１４に戻り、別の再生情報ＰＩで検索する。そして、本ステップにおいてＹｅｓ、つまり未完成再生情報ＰＩに対応するタイトル表示情報Ｔｄがタイトル情報データベースサ−バＤＢに格納されている場合に、制御は次のステップＳ１１８に進む。
【００７４】
ステップＳ１１８において、該当するタイトル表示情報Ｔｄのタイトル情報ＴＩがタイトル情報データベースサ−バＤＢからタイトル情報取得装置３００にダウンロードされる。そして、制御は次のステップＳ１２０に進む。
【００７５】
ステップＳ１２０において、ステップＳ１１８でダウンロードされたタイトル情報ＴＩが対応する再生情報ＰＩに関連づけて追記される。このようにして、再生装置１００においては、未完成であったブリッジメディア２００中のタイトル表示情報Ｔｄが完成される。そして、制御は次のステップＳ１２２に進む。
【００７６】
ステップＳ１２２において、検索キーとなるタイトル情報ＴＩが残っているか否かが判断される。残っている場合はＮｏと判断されて、制御は上述のステップＳ１１４、Ｓ１１６、Ｓ１１８、およびＳ１２０における処理を繰り返す。そして、本ステップにおいてＹｅｓと判断された時点で、制御は終了する。このようにして、ブリッジメディア２００に記録されている未完成なタイトル表示情報Ｔｄであって、対応するタイトル表示情報Ｔｄがタイトル情報データベースサ−バＤＢに格納されているものはすべてタイトル情報ＴＩが追記されて完成される。
【００７７】
このようにして、再生装置１００中では未完成であったタイトル表示情報Ｔｄが完成されたブリッジメディア２００を、ブリッジメディア書読器３０３から取り出して、再生装置１００のブリッジメディア書読器１３に装着することによって、図３を参照して説明したように表示器１９でアルバム名や曲名のタイトル情報の表示が可能になる。
【００７８】
上述のように本発明においては、ユーザがＣＤの演奏を開始するための操作を操作器２５に対して行っていれば、ステップＳ１０において、再生中のＣＤのサブコード信号より現在の演奏曲番が検出される。その後、ステップＳ２０で、検出した演奏曲番に対応する曲名がすでにブリッジメディア２００に登録されているか否かが判断される。
ステップＳ１２０で登録されている場合は、ステップＳ２２でブリッジメディア２００から読みだしたタイトル表示情報Ｔｄに基づいて、演奏中の曲番に対応する曲名および局番が表示器１９に表示される。
また、このような表示は、ＣＤを演奏していなくとも曲番の指定操作をすれば、同様に表示器１９に表示される。
上述のように、本発明においては、それ自身は外部のタイトル情報データベースに接続できるようなネットワークや通信環境、機能、或いは設備を有しない再生装置であっても、ＣＤから取得した再生情報ＰＩをブリッジメディアに記録し、さらに必要なタイトル情報ＴＩは既存のパーソナルコンピュータ等の外部のタイトル情報データベースに接続できる手段を利用してブリッジメディアに記録させることによって、タイトル表示情報Ｔｄを完成させる。そして、この完成したタイトル表示情報Ｔｄが記録（登録）されているブリッジメディアを再生装置に戻すことによって、通信環境にない再生装置であってもタイトル情報ＴＩを利用したサービスを実現できる。
【産業上の利用可能性】
【００７９】
外部のデータベースを利用できる機能を有しない或いは環境下にない再生装置において、タイトル情報を含まないコンテンツデータの内容名の表示を行う用途等に利用できる。
【図面の簡単な説明】
【００８０】
【図１】本発明の実施形態にかかるタイトル表示情報生成システムの構成を示すブロック図
【図２】本発明にかかるタイトル表示情報の構造を示す模式図
【図３】図１に示した再生装置の動作を示すフローチャート
【図４】第１図に示したタイトル情報取得装置の動作の示すフローチャート
【図５】コンパクトディスクから再生されるサブコード信号のフォーマットを表す模式図
【図６】コンパクトディスクから再生されるＴＯＣ情報のフォーマットを表す模式図
【符号の説明】
【００８１】
ＡＴＤ  タイトル表示情報生成装置
ＤＢ  タイトル情報データベースサーバ
１１  ディスク
１２  ディスク収納器
１３  ブリッジメディア書読器
１４  記録媒体格納器
１５  ディスク選択器
１６  ディスク再生器
１７  ディスク認識信号抽出器
１９  表示器
２０  記憶制御器
２１  ディスク認識器
２２  読出制御器
２４  収納曲情報抽出器
２７  記憶内容移植器
２８  マイクロコンピュータ
１００  再生装置
２００  ブリッジメディア
３００  タイトル情報取得装置
３０１  アプリケーションソフトウェア
３０３  ブリッジメディア書読器
３０５  ＬＡＮ
【図１】
2005285274.tif 000003
【図２】
2005285274.tif 000004
【図３】
2005285274.tif 000005
【図４】
2005285274.tif 000006
【図５】
2005285274.tif 000007
【図６】
2005285274.tif 000008